(57)【要約】【課題】  着用性を損なわずに、人体の動きによって生じるズレを防ぐスポーツブラの提供。【解決手段】  後身頃上部、後身頃下部、及び左右２本の肩紐からなり、左右２本の肩紐の始端は左右カップ部の上端部にそれぞれ縫合され、終端は後身頃上部の左右上端部に縫合され、後身頃上部は右カップ台の右側部から左カップ台の左側部に連続し、後身頃下部の一端は右カップ台の側部、他端は左カップ台の側部と縫合され、後身頃上部の右側上縁部と後身頃下部の右側上縁部の重なる部分、後身頃上部の右側下縁部と後身頃下部の右側下縁部の重なる部分、後身頃上部の左側上縁部と後身頃下部の左側上縁部の重なる部分、後身頃上部の左側下縁部と後身頃下部の左側下縁部の重なる部分が縫合され、後身頃上部の中央下辺部と後身頃下部の中央上辺部の間に開口部が形成されている。【選択図】  図１
2019023371.tif 000002
【特許請求の範囲】
【請求項１】
後身頃上部、後身頃下部、及び左右２本の肩紐を有するスポーツブラであって、
左右２本の肩紐の始端は左右カップ部の上端部にそれぞれ縫合され、終端は後身頃上部の左右上端部にそれぞれ縫合され、
後身頃上部は右カップ台の右側部から左カップ台の左側部に向かって連続し、後身頃上部の中央下辺部は略逆Ｕ字状の形状をしており、
後身頃下部の一端は右カップ台の側部、他端は左カップ台の側部とそれぞれ縫合され、
後身頃上部の右側上縁部と後身頃下部の右側上縁部の重なる部分が縫合され、
後身頃上部の右側下縁部と後身頃下部の右側下縁部の重なる部分が縫合され、
後身頃上部の左側上縁部と後身頃下部の左側上縁部の重なる部分が縫合され、
後身頃上部の左側下縁部と後身頃下部の左側下縁部の重なる部分が縫合され、
後身頃上部の中央下辺部と後身頃下部の中央上辺部の間には開口部が形成されていることを特徴とするスポーツブラ。
【請求項２】
後身頃下部が右後身頃下部と左後身頃下部から構成され、
右後身頃下部と左後身頃下部の一端にはフックアイが取り付けられていることを特徴とする請求項１に記載のスポーツブラ。
【請求項３】
後身頃上部、及び後身頃下部は伸縮性素材からなることを特徴とする請求項１又は請求項２に記載のスポーツブラ。
【発明の詳細な説明】
【技術分野】
【０００１】
本発明は、スポーツブラに関する。更に詳しくは、着用性を損なわずに、人体の動きに関連して生じるブラジャーのズレを防ぐスポーツブラに関するものである。
【背景技術】
【０００２】
従来、スポーツブラに関して、特許文献１に記載されたものが知られている。このもの
は運動によって起こる捲り上がり等による、着崩れ防止を図ったスポーツ用ハーフトップを提供することを課題とし、着用者の胸部を被覆する胸被覆部と、該胸被覆部から背中側に連続して着用者の胸部横および脇下を被覆する一対の脇部と、該脇部より背後に連続して着用者の背中を被覆するバック部と、該脇部より背後に連続して着用者の背中中心部を被覆する後身頃と、着用者の肩に配置される一対の肩紐とを備えたスポーツ用ハーフトップであって、前記後身頃は略逆Ｙ字状に形成され、その両端部がバック部の一部と重なり合って、さらに、後身頃の下辺部とバック部の中央上辺部の間に着用者の肌を露出せしめる開口部を形成したことを要件とすることで解決している。
【０００３】
特許文献１は、バック部が後身頃の上部に取り付けられていることによって、体とバック部の接触面積が少なくなり、ブラジャー本体が人体の動きによってズレやすいため、着用性に優れていないという欠点があった。
【０００４】
叙述のように、従来のスポーツブラは、運動時にブラジャー本体が人体の動きによってズレやすいという欠点があった。
つまり、人体の動きによるスポーツブラのズレを防ぐ構成を設けることで、着用性が優れないという欠点があった。
【先行技術文献】
【特許文献】
【０００５】
【特許文献１】実用新案登録第３１７１８０４号公報
【発明の概要】
【発明が解決しようとする課題】
【０００６】
従来のスポーツブラ（とりわけ、特許文献１のもの）には、人体の動きによるスポーツブラのズレを防ぐ構成を設けることで、着用性が優れないという欠点がある。
つまり、スポーツブラのズレ防止と、着用性の向上の両立が難しかった。
【課題を解決するための手段】
【０００７】
本発明は、人体の動きによるスポーツブラのズレを防ぐ構成を設けることで、着用性が優れないという欠点を解消することを目的とするものである。
【０００８】
本発明の第１の態様は、後身頃上部、後身頃下部、及び左右２本の肩紐を有するスポーツブラであって、左右２本の肩紐の始端は左右カップ部の上端部にそれぞれ縫合され、終端は後身頃上部の左右上端部にそれぞれ縫合され、後身頃上部は右カップ台の右側部から左カップ台の左側部に向かって連続し、後身頃上部の中央下辺部は略逆Ｕ字状の形状をしており、後身頃下部の一端は右カップ台の側部、他端は左カップ台の側部とそれぞれ縫合され、後身頃上部の右側上縁部と後身頃下部の右側上縁部の重なる部分が縫合され、後身頃上部の右側下縁部と後身頃下部の右側下縁部の重なる部分が縫合され、後身頃上部の左側上縁部と後身頃下部の左側上縁部の重なる部分が縫合され、後身頃上部の左側下縁部と後身頃下部の左側下縁部の重なる部分が縫合され、後身頃上部の中央下辺部と後身頃下部の中央上辺部の間には開口部が形成されていることを特徴とする請求項１に記載のスポーツブラに関する。
【０００９】
本発明の第２の態様は、後身頃下部が右後身頃下部と左後身頃下部から構成され、右後身頃下部と左後身頃下部の一端にはフックアイが取り付けられていることを特徴とする請求項２に記載のスポーツブラに関する。
【００１０】
本発明の第３の態様は、後身頃上部、及び後身頃下部は伸縮性素材からなることを特徴とする請求項３に記載のスポーツブラに関する。
【発明の効果】
【００１１】
本発明の請求項１によれば、後身頃上部、後身頃下部、及び左右２本の肩紐を有するスポーツブラであって、左右２本の肩紐の始端は左右カップ部の上端部にそれぞれ縫合され、終端は後身頃上部の左右上端部にそれぞれ縫合され、後身頃上部は右カップ台の右側部から左カップ台の左側部に向かって連続し、後身頃上部の中央下辺部は略逆Ｕ字状の形状をしており、後身頃下部の一端は右カップ台の側部、他端は左カップ台の側部とそれぞれ縫合され、後身頃上部の右側上縁部と後身頃下部の右側上縁部の重なる部分が縫合され、後身頃上部の右側下縁部と後身頃下部の右側下縁部の重なる部分が縫合され、後身頃上部の左側上縁部と後身頃下部の左側上縁部の重なる部分が縫合され、後身頃上部の左側下縁部と後身頃下部の左側下縁部の重なる部分が縫合され、後身頃上部の中央下辺部と後身頃下部の中央上辺部の間には開口部が形成されていることを構成要件としていることから、以下のような効果を奏する。
【００１２】
後身頃上部と後身頃下部の一部を重ね合わせ、上縁部と下縁部では縫合されているが中央部分では縫合されておらず、振りはなされている（拘束されていない）構成のため、後身頃上部は腕を上げたり、腕を回したりするときの上下の動きに追随し、後身頃下部は腰を捻ったりする左右の動きに追随する。そのため、ブラジャーのズレを防止し、かつ上下左右の動きを妨げることなく、人体の動きに追随した着用性に優れた効果を奏する。
【００１３】
後身頃上部の中央下辺部と、後身頃下部の中央上辺部の間に、開口部が形成されていることによって、通気性を確保し、着用感を向上させるという優れた効果も奏する。
【００１４】
従来のスポーツブラは着脱の際、摩擦や汗等によって肌から離れにくくなり、着脱しにくいが、後身頃上部、及び後身頃下部が別体で構成されていることにより、スポーツブラ本体を広げることができるので、着脱しやすいという優れた効果も奏する。
【００１５】
本発明の請求項２によれば、後身頃下部が右後身頃下部と左後身頃下部から構成され、右後身頃下部と左後身頃下部の一端にはフックアイが取り付けられていることを構成要件としていることから、スポーツブラ本体を広げることができるので、着脱しやすいという優れた効果を奏する。
【００１６】
本発明の請求項３によれば、後身頃上部、及び後身頃下部は伸縮性素材からなることを構成要件としていることから、人体の様々な動きに対して伸縮性を発揮するため、スポーツブラの融通性（追随性）を高めるという優れた効果を奏する。
【図面の簡単な説明】
【００１７】
【図１】本発明の一実施形態に係るスポーツブラの説明図である。
【図２】図１のスポーツブラを着用者の周方向に展開した図である。
【図３】本発明の他の実施形態に係るスポーツブラの説明図である。
【発明を実施するための形態】
【００１８】
以下、本発明に係るスポーツブラについて、図面を参照しつつ、本発明の実施形態について詳細に説明する。
図１は本発明の一実施形態に係るスポーツブラの説明図である。図２は図１のスポーツブラを着用者の周方向に展開した図である。図３は本発明の他の実施形態に係るスポーツブラの説明図である。
図１を参照すると、本発明の一実施形態に係る本件スポーツブラは、背面部において後身頃上部（１０）、後身頃下部（１１）、及び左右２本の肩紐（６Ａ，６Ｂ）を有する。
尚、図２において符号２Ａ、２Ｂはカップ部、符号３は胸部被覆布、符号５はアンダーパネルを示す。
【００１９】
左右２本の肩紐（６Ａ，６Ｂ）の右肩紐の始端（６Ａ１）と左肩紐の始端（６Ｂ１）は、左右一対のカップ部（２Ａ，２Ｂ）の右上端部（２Ａ１）と左上端部（２Ｂ１）にそれぞれ縫合され、右肩紐の終端（６Ａ２）と左肩紐の終端（６Ｂ２）は、後身頃上部（１０）の右上端部（１０Ｆ）と左上端部（１０Ｇ）にそれぞれ縫合されている。
左右２本の肩紐（６Ａ，６Ｂ）に用いられる素材は特に限定されないが、融通性（追随性）を高めるために、縦方向に伸縮する素材を用いることが好ましい。例えば、紐状の身生地で構成されたものもあれば、テープ状のものもある。
【００２０】
後身頃上部（１０）は、右カップ台の右側部（図示せず）、左カップ台の左側部（図示せず）に向かって連続し、後身頃上部（１０）の中央下辺部（１０Ｅ）は略逆Ｕ字状に形成されている。
後身頃上部（１０）に用いられる素材は特に限定されないが、融通性（追随性）を高めるためには、縦横両方向に自在に伸縮する素材を用いることが好ましい。
【００２１】
後身頃上部（１０）の右上端部（１０Ｆ）と左上端部（１０Ｇ）のそれぞれに左右２本の肩紐（６Ａ，６Ｂ）が縫合されている。
後身頃上部（１０）の右側上縁部（１０Ａ）と後身頃下部（１１）の右側上縁部（１１Ａ）、後身頃上部（１０）の右側下縁部（１０Ｂ）と後身頃下部（１１）の右側下縁部（１１Ｂ）の重なる部分がそれぞれ縫合されている。同様に、後身頃上部（１０）の左側上縁部（１０Ｃ）と後身頃下部（１１）の左側上縁部（１１Ｃ）、後身頃上部（１０）の左側下縁部（１０Ｄ）と後身頃下部（１１）の左側下縁部（１１Ｄ）の重なる部分もそれぞれ縫合されている。
【００２２】
叙述のように、後身頃上部（１０）の一部が後身頃下部（１１）と重ね合わせ、上縁部と下縁部では縫合されているが中央部分では振りはなされている構成のため、後身頃上部（１０）は腕を上げたり、腕を回したりするときの上下の動きに追随する。
人体の動きを妨げることなく、体全体の運動に追随し、ズレを防ぐことができ、特にスポーツやフィットネス等の運動時により効果を発揮する。
【００２３】
後身頃下部（１１）の一端は右カップ台の右側部、他端は左カップ台の左側部とそれぞれ縫合されている。
後身頃下部（１１）の右側上縁部（１１Ａ）と後身頃上部（１０）の右側上縁部（１０Ａ）、後身頃下部（１１）の右側下縁部（１１Ｂ）と後身頃上部（１０）の右側下縁部（１０Ｂ）の重なる部分がそれぞれ縫合されている。同様に、後身頃下部（１１）の左側上縁部（１１Ｃ）と後身頃上部（１０）の左側上縁部（１０Ｃ）、後身頃下部（１１）の左側下縁部（１１Ｄ）と後身頃上部（１０）の左側下縁部（１０Ｄ）の重なる部分もそれぞれ縫合されている。
【００２４】
叙述のように、後身頃下部（１１）が後身頃上部（１０）の一部と重ね合わせ、上縁部と下縁部では縫合されているが中央部分では振りはなされている構成のため、後身頃下部（１１）は腰を捻ったりする左右の動きに追随する。
人体の動きを妨げることなく、体全体の運動に追随し、ズレを防ぐことができ、特にスポーツやフィットネス等の運動時により効果を発揮する。
【００２５】
後身頃下部（１１）に用いられる素材は特に限定されないが、融通性（追随性）を高めるためには、縦横両方向に自在に伸縮する素材を用いることが好ましい。また、メッシュ素材を用いることにより、ブラジャーの通気性を高め、肌当たりを良くして、着用感を向上させることもできる。
【００２６】
後身頃上部（１０）、及び後身頃下部（１１）が別体として設けられていることによって、スポーツブラ本体を広げることができるので、着脱しやすくなる。
【００２７】
開口部（１２）は、後身頃上部（１０）の中央下辺部（１０Ｅ）と後身頃下部（１１）の中央上辺部（１１Ｅ）の間に形成されている。
本件スポーツブラ（１）の背面に開口部（１２）を設けることにより、運動によって起こる背中側の伸びや収縮に対して、スポーツブラ（１）を固定したまま保持することができる。
開口部（１２）によって、スポーツブラ（１）の通気性を確保し、着用感を向上させる。
【００２８】
他の実施形態に係る本件スポーツブラ（１）は、後身頃下部（１１）が右後身頃下部（１３）と左後身頃下部（１４）から構成されたものである。
【００２９】
図３を参照すると、右後身頃下部（１３）の一端は右カップ台の右側部、左後身頃下部（１４）の一端は左カップ台の左側部とそれぞれ縫合され、右後身頃下部（１３）と左後身頃下部（１４）のそれぞれの他端にはフックアイ（１５）が設けられている。
右後身頃下部（１３）の上縁部（１３Ａ）と後身頃上部（１０）の右側上縁部（１０Ａ）の一部、右後身頃下部（１３）の下縁部（１３Ｂ）の一部と後身頃上部（１０）の右側下縁部（１０Ｂ）がそれぞれ縫合され、左後身頃下部（１４）の上縁部（１４Ａ）と後身頃上部（１０）の左側上縁部（１０Ｃ）の一部、左後身頃下部（１４）の下縁部（１４Ｂ）の一部と後身頃上部（１０）の左側下縁部（１０Ｄ）もそれぞれ縫合されている。
【００３０】
叙述のように、右後身頃下部（１３）と左後身頃下部（１４）が後身頃上部（１０）の一部と重ね合わせ、上縁部と下縁部では縫合されているが中央部分では振りはなされている構成のため、右後身頃下部（１３）と左後身頃下部（１４）は腰を捻ったりする左右の動きに追随する。
人体の動きを妨げることなく、体全体の運動に追随し、ズレを防ぐことができ、特にスポーツやフィットネス等の運動時により効果を発揮する。
【００３１】
右後身頃下部（１３）と左後身頃下部（１４）に用いられる素材は特に限定されないが、融通性（追随性）を高めるためには、縦横両方向に自在に伸縮する素材を用いることが好ましい。また、メッシュ素材を用いることにより、ブラジャーの通気性を高め、肌当たりを良くして、着用感を向上させることもできる。
【００３２】
後身頃上部（１０）、右後身頃下部（１３）、及び左後身頃下部（１４）が別体として設けられていることによって、スポーツブラ本体を広げることができるので、着脱しやすくなる。
【００３３】
フックアイ（１５）は、右後身頃下部（１３）と左後身頃下部（１４）の一端にそれぞれ設けられている。
フックアイ（１５）を強くしたり、緩めたりすることができる構造なので、着用者のアンダーサイズに合わせて調節することができる。
着脱の際、摩擦や汗等によって肌から離れにくくなり、着脱しにくいが、右後身頃下部（１３）と左後身頃下部（１４）にフックアイ（１５）を設けていることにより、スポーツブラ本体を広げることができるので、着脱しやすくなる。
【００３４】
右後身頃下部（１３）と左後身頃下部（１４）を係合できるものであれば、用いられる部材は特に限定しない。例えば、図３のようにフックアイ（１５）を使用して右後身頃下部（１３）と左後身頃下部（１４）を係合かつ調節できるものが好ましい。
【００３５】
後身頃下部（１１）が右後身頃下部（１３）と左後身頃下部（１４）から構成されているため、後身頃下部（１１）の中央上辺部（１１Ｅ）は、右後身頃下部（１３）の上辺部（１３Ｃ）と左後身頃下部（１４）の上辺部（１４Ｃ）から構成される。
開口部（１２）は、後身頃上部（１０）の中央下辺部（１０Ｅ）と、右後身頃下部（１３）の上辺部（１３Ｃ）と左後身頃下部（１４）の上辺部（１４Ｃ）の間に形成されている。
本件スポーツブラ（１）の背面に開口部（１２）を設けることにより、運動によって起こる背中側の伸びや収縮に対して、スポーツブラ（１）を固定したまま保持することができる。
開口部（１２）によって、スポーツブラ（１）の通気性を確保し、着用感を向上させる。
【産業上の利用可能性】
【００３６】
本発明によれば、人体の動きによるスポーツブラのズレを防ぐ構成を背面部に設けることにより、人体の動きを妨げず、着用性に優れたスポーツブラとすることができる。
【符号の説明】
【００３７】
１      スポーツブラ
２Ａ    右カップ部
２Ａ１  右カップ部の上端部
２Ｂ    左カップ部
２Ｂ１  左カップ部の上端部
４      カップ台
６Ａ    右肩紐
６Ａ１  右肩紐の始端
６Ａ２  右肩紐の終端
６Ｂ    左肩紐
６Ｂ１  左肩紐の始端
６Ｂ２  左肩紐の終端
１０    後身頃上部
１０Ａ  後身頃上部の右側上縁部
１０Ｂ  後身頃上部の右側下縁部
１０Ｃ  後身頃上部の左側上縁部
１０Ｄ  後身頃上部の左側下縁部
１０Ｅ  後身頃上部の中央下辺部
１０Ｆ  後身頃上部の右上端部
１０Ｇ  後身頃上部の左上端部
１１    後身頃下部
１１Ａ  後身頃下部の右側上縁部
１１Ｂ  後身頃下部の右側下縁部
１１Ｃ  後身頃下部の左側上縁部
１１Ｄ  後身頃下部の左側下縁部
１１Ｅ  後身頃下部の中央上辺部
１２    開口部
１３    右後身頃下部
１４    左後身頃下部
１５    フックアイ
【図１】
2019023371.tif 000003
【図２】
2019023371.tif 000004
【図３】
2019023371.tif 000005
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
後身頃上部、後身頃下部、及び左右２本の肩紐を有するスポーツブラであって、
左右２本の肩紐の始端は左右カップ部の上端部にそれぞれ縫合され、終端は後身頃上部の左右上端部にそれぞれ縫合され、
後身頃上部は右カップ部の下部にある右カップ台の右側部から左カップ部の下部にある左カップ台の左側部に向かって連続して１枚の布で形成され、後身頃上部の中央下辺部は略逆Ｕ字状の形状をしており、
後身頃下部の一端は右カップ台の右側部、他端は左カップ台の左側部とそれぞれ縫合され、
後身頃上部の右側上縁部と後身頃下部の右側上縁部の重なる部分が縫合され、
後身頃上部の右側下縁部と後身頃下部の右側下縁部の重なる部分が縫合され、
後身頃上部の左側上縁部と後身頃下部の左側上縁部の重なる部分が縫合され、
後身頃上部の左側下縁部と後身頃下部の左側下縁部の重なる部分が縫合され、
後身頃上部と後身頃下部は、左右上縁部及び左右下縁部以外では互いに縫合されておらず、
後身頃上部の中央下辺部と後身頃下部の中央上辺部の間には開口部が形成されていることを特徴とするスポーツブラ。
【請求項２】
後身頃下部が右後身頃下部と左後身頃下部から構成され、
右後身頃下部と左後身頃下部の一端にはフックアイが取り付けられていることを特徴とする請求項１に記載のスポーツブラ。
【請求項３】
後身頃上部、及び後身頃下部は伸縮性素材からなることを特徴とする請求項１又は請求項２に記載のスポーツブラ。
【手続補正２】
【補正対象書類名】明細書
【補正対象項目名】０００８
【補正方法】変更
【補正の内容】
【０００８】
本発明の第１の態様は、後身頃上部、後身頃下部、及び左右２本の肩紐を有するスポーツブラであって、左右２本の肩紐の始端は左右カップ部の上端部にそれぞれ縫合され、終端は後身頃上部の左右上端部にそれぞれ縫合され、後身頃上部は右カップ部の下部にある右カップ台の右側部から左カップ部の下部にある左カップ台の左側部に向かって連続して１枚の布で形成され、後身頃上部の中央下辺部は略逆Ｕ字状の形状をしており、後身頃下部の一端は右カップ台の右側部、他端は左カップ台の左側部とそれぞれ縫合され、後身頃上部の右側上縁部と後身頃下部の右側上縁部の重なる部分が縫合され、後身頃上部の右側下縁部と後身頃下部の右側下縁部の重なる部分が縫合され、後身頃上部の左側上縁部と後身頃下部の左側上縁部の重なる部分が縫合され、後身頃上部の左側下縁部と後身頃下部の左側下縁部の重なる部分が縫合され、後身頃上部と後身頃下部は、左右上縁部及び左右下縁部以外では互いに縫合されておらず、後身頃上部の中央下辺部と後身頃下部の中央上辺部の間には開口部が形成されていることを特徴とする請求項１に記載のスポーツブラに関する。
【手続補正３】
【補正対象書類名】明細書
【補正対象項目名】００１１
【補正方法】変更
【補正の内容】
【００１１】
本発明の請求項１によれば、後身頃上部、後身頃下部、及び左右２本の肩紐を有するスポーツブラであって、左右２本の肩紐の始端は左右カップ部の上端部にそれぞれ縫合され、終端は後身頃上部の左右上端部にそれぞれ縫合され、後身頃上部は右カップ部の下部にある右カップ台の右側部から左カップ部の下部にある左カップ台の左側部に向かって連続して１枚の布で形成され、後身頃上部の中央下辺部は略逆Ｕ字状の形状をしており、後身頃下部の一端は右カップ台の右側部、他端は左カップ台の左側部とそれぞれ縫合され、後身頃上部の右側上縁部と後身頃下部の右側上縁部の重なる部分が縫合され、後身頃上部の右側下縁部と後身頃下部の右側下縁部の重なる部分が縫合され、後身頃上部の左側上縁部と後身頃下部の左側上縁部の重なる部分が縫合され、後身頃上部の左側下縁部と後身頃下部の左側下縁部の重なる部分が縫合され、後身頃上部と後身頃下部は、左右上縁部及び左右下縁部以外では互いに縫合されておらず、後身頃上部の中央下辺部と後身頃下部の中央上辺部の間には開口部が形成されていることを構成要件としていることから、以下のような効果を奏する。
【手続補正４】
【補正対象書類名】明細書
【補正対象項目名】００１２
【補正方法】変更
【補正の内容】
【００１２】
後身頃上部と後身頃下部の一部を重ね合わせ、上縁部と下縁部では縫合されているが中央部分では縫合されておらず（すなわち、後身頃上部と後身頃下部は、左右上縁部及び左右下縁部以外では互いに縫合されておらず）、振りはなされている（拘束されていない）構成のため、後身頃上部は腕を上げたり、腕を回したりするときの上下の動きに追随し、後身頃下部は腰を捻ったりする左右の動きに追随する。そのため、ブラジャーのズレを防止し、かつ上下左右の動きを妨げることなく、人体の動きに追随した着用性に優れた効果を奏する。
【手続補正５】
【補正対象書類名】図面
【補正対象項目名】図２
【補正方法】変更
【補正の内容】
【図２】
2019023371.tif 000006